(57)【要約】      （修正有）【課題】簡単に設置でき、且つ、漆喰壁を有する小規模の寺院建築にも利用可能なプレハブ式の壁組立セットを提供する。【解決手段】プレハブ式の壁組立セットは一対の柱部材１１，１２と、一対の柱部材に取付けられる壁部材２１とからなる。一対の柱部材は、対向する側に柱の高さ方向に延在する一対の溝１１ａ，１２ａを有し、壁部材は、一対の溝に挿入可能な、一対の突出部２１ａ、２１ｂを有する。一対の溝は、その一部に外部側に広くなった段部を有する。【選択図】図２
0003206684.tif 000002
【実用新案登録請求の範囲】
【請求項１】
一対の柱部材と、一対の柱部材に取付けられる壁部材とからなるプレハブ式の壁組立セットであって、
対向して設置される一対の柱部材を含み、
前記一対の柱部材は、対向する側に柱の高さ方向に延在する一対の溝を有し、
前記一対の溝に挿入可能な、一対の凸部を有する壁部材を含み、
前記一対の溝は、その一部に段部を有する、プレハブ式の壁組立セット。
【請求項２】
前記壁部材は複数の幅の狭い壁部材を補強部材で接続した構成を含む、請求項１に記載のプレハブ式の壁組立セット。
【請求項３】
前記補強部材は絽又は紗を含む、請求項１または２に記載のプレハブ式の壁組立セット。
【考案の詳細な説明】
【技術分野】
【０００１】
この考案はプレハブ建物用の壁構造に関し、特に、永代供養のための位牌を保管する小規模の寺院建築に使用される壁構造に関する。
【背景技術】
【０００２】
この考案に興味のあるプレハブ用の壁構造が、たとえば、特開２０１２−１５０７３７号公報（特許文献１）に開示されている。
【０００３】
特許文献１によれば、ほぼ長方形状底版の先端部に、中央の支柱とその両側に支柱を着脱自在に立設し、中央の支柱２０と両側の支柱との間の対向する縦溝との間に、複数の平板状土留めセグメントを嵌合可能にした構造を開示している。
【０００４】
複数の平板状土留めセグメントを中央の支柱と両側の支柱との間の対向する縦溝との間に嵌合することによって、プレハブ用の壁構造を容易に構成している。
【先行技術文献】
【特許文献】
【０００５】
【特許文献１】特開２０１２−１５０７３７号公報
【考案の概要】
【考案が解決しようとする課題】
【０００６】
従来のプレハブ用の壁構造は上記のように構成されていた。このような構成を一般の建築物にも適用可能である。
【０００７】
しかしながら、このような構成を小規模な寺院建築に利用した場合、壁を漆喰で構成する必要があるため、これをそのまま適用すると、柱と壁との接触部で漆喰が割れ、従来のプレハブ用の壁構造を適用できないという問題があった。
【０００８】
この考案は上記のような問題点を解消するためになされたもので、簡単に設置でき、且つ、漆喰壁を有する小規模の寺院建築にも利用可能なプレハブ用の壁構造を提供することを目的とする。
【課題を解決するための手段】
【０００９】
この考案に係るプレハブ式の壁組立セットは、一対の柱部材と、一対の柱部材に取付けられる壁部材とからなる。
【００１０】
プレハブ式の壁組立セットは、対向して設置される一対の柱部材を含み、一対の柱部材は、対向する側に柱の高さ方向に延在する一対の溝を有し、一対の溝に挿入可能な、一対の凸部を有する壁部材を含み、一対の溝は、その一部に段部を有する。
【００１１】
好ましくは、壁部材は複数の幅の狭い壁部材を補強部材で接続した構成を含む。
【００１２】
さらに好ましくは、補強部材は絽又は紗を含む。
【考案の効果】
【００１３】
対向する溝の一部に段部を設けたため、壁を溝に挿入した後で、壁と溝との間に漆喰を十分にさらに埋めても、割れることはない。
【００１４】
その結果、施工後において、仕上げが美しく、且つ、柱と壁とが一体化される。
【図面の簡単な説明】
【００１５】
【図１】この考案に係るプレハブ式の壁部材を使用した永代供養堂の外観図である。
【図２】プレハブ式の壁部材の概略構成を示す斜視図である。
【図３】プレハブ式の壁部材の詳細構成を示す断面図である。
【図４】図３において、矢印ＩＶで示した部分の詳細図である。
【図５】壁部材を構成するために２枚のサントウ板を接続した構成を示す図である
【図６】補強部材の構成を示す模式的断面図である。
【図７】壁部材の外部表面側に仕上げを行った状態の断面図である。
【図８】この考案の他の実施の形態を示す断面図である。
【考案を実施するための形態】
【００１６】
以下この考案の一実施の形態を、図面を参照して説明する。図１は、この考案に係るプレハブ式の壁組立セットを使用した永代供養堂の外観図である。
【００１７】
図１を参照して、永代供養堂１０は、基礎部１００と、基礎部１００の上に設けられた躯体部２００と、躯体部２００の上に設けられた屋根部３００とを含む。永代供養堂１０は、基本的にプレハブ構造であり、所望の位置に、短時間で建築可能になるよう構成されている。
【００１８】
基礎部１００は、基礎部本体３１と、基礎部本体に設けられた階段部３２を含む。
【００１９】
躯体部２００は、四隅の外部の柱部１１，１４と、中間部の柱部１２，１３等を含む。柱部１１と１２との間、および、柱部１３と１４との間には壁部材２１、２３が設けられ、中間部の柱部１２，１３の間には扉部２２が設けられる。
【００２０】
外部の梁３１は柱部材１１，１２，１３，１４等によって支持されている。
【００２１】
なお、ここでは、永代供養堂１０の一面のみを示しているが、扉部が設けられない点を除いて、他の三面も同様の構成を有している。
【００２２】
図２はプレハブ式の壁組立セットの概略構成を示す斜視図である。図２に示すように、壁部材２１を挟む、対向する２つの柱１１および１２には、それぞれに柱の高さ方向に沿う対向する溝１１ａ，１１ｂが設けられる。一方、この壁部材２１はその一方面側（外側）に、その一対の柱部側に突出部２１ａ，２１ｂが設けられている。この一対の突出部２１ａ，２１ｂが、対向する溝１１ａ，１２ａに挿入されて、一対の柱部１１，１２が壁部材２１を挟んで壁部材２１が隣接する柱部材１１，１２と一体化される。
【００２３】
図３は、プレハブ式の壁部材２１の取り付け部の詳細構成を示す断面図である。図３を参照して、この図は、図２に示した一方の柱１１に設けられた溝１１ａとそこに挿入される壁部材２１の拡大図である。図３に示すように、壁部材２１と柱１１との間には隙間１１０が設けられており、壁部材２１が柱１１,１２（図３では図示無）に組み込まれた後で、その隙間および外表面に漆喰等２１３が塗布される。
【００２４】
なお、壁部材２１はサントウ板で構成されている。また、壁部材２１の縦方向の強度を補強するために壁部材２１の内面側に間柱１５ａ，１５ｂが設けられてもよい。
【００２５】
図４は図３において、矢印ＩＶで示した部分の拡大図である。図４を参照して、溝１１ａの外部側には、溝１１ａの底までは至らない外部側に広くなった段部１１１が設けられている。
【００２６】
この段部１１１によって、壁部材２１を溝１１ａに収容した後で仕上げ用に漆喰２１３を塗布した時に、壁部材２１の柱側の端部が破壊するのを防ぎ、且つ、壁部材２１と柱部材１１とが一体化する。
【００２７】
なお、この段部１１１の寸法（図４においてｂで示す）は、溝１１ａ（図４においてａで示す）の深さの１／３〜１/２程度が好ましい。
【００２８】
次に、壁部材２１の構成について説明する。図５は壁部材２１を２枚の板を接続して構成した場合の例を示す平面図（Ａ）と、平面図（Ａ）において、矢印ＶＢ-ＶＢで示す部分の矢視図である。図５（Ａ）および（Ｂ）を参照して、壁部材２１は、２枚のサントウ板２１１ａ、および２１１ｂを並列させてそれぞれの当接する辺で接続し、その接続部を強化するために補強部材２１４を設けた構成を有する。なお、ここでは、理解の容易のために補強部材２１４の周りを誇張して示している。
【００２９】
具体的には、２枚のサントウ板２１１ａおよび２１１ｂは、その４辺の端部に段部２１１ｃを有し、一方のサントウ板を反転させて、隣接するこの段部を重ねて接続し、その部分に補強部材２１４を設ける。この構成で、２枚のサントウ板が接続された広い壁部材を得ることができる。なお、図５（Ｂ）において、平面方向の外側の段部は図示を省略している。ここでは、サントウ板２１１ａ，２１１ｂの一方側のみに補強部２１４を設けるため、その部分のみを拡大して表示している。なお、補強部材は、他方側にも設けてもよい。
【００３０】
また、図中、補強部材２１４は壁部材２１の外側に隣接する２枚のサントウ板とその外面が同一平面となるように設けられる。
【００３１】
次に、この補強部材２１４の具体的構成について説明する。図６は補強部材２１４の構成を示す模式的断面図である。
【００３２】
図６を参照して、補強部材２１４は、内部から順に、紗および又は絽２１４ａ、パテ２１４ｂ、および、カチオン２１４ｃを含む。
【００３３】
次に、このように接続された壁部材２１の仕上げ処理について説明する。図７は図６（または図５（Ｂ））に示した壁部材２１の外部表面側に仕上げを行った状態の断面図である。ここでは、壁部材２１の上に仕上げ材２１３として、下地２１３ａ、中塗り２１３ｂ、および上塗り２１３ｃが塗布される。なお、ここでこれらの材料は漆喰または塗料である。
【００３４】
この考案に係る壁部材２２１は、２枚のサントウ板の接続部の補強部材として、従来含まれていたファイバを含めることなく、紗および又は絽２２１ｂを含むため、従来のように、壁部材が容易に剥離したる、割れたりすることはない。
【００３５】
次に、この考案の他の実施の形態について説明する。図８は、この考案の他の実施の形態を説明する図である。図８（Ａ）を参照して、この実施の形態においては、柱部１１，１２の溝を先の実施の形態のように溝の間隔が一定ではなく、外部が狭く、奥が広くなる形状としている。このような形状とすることにより、壁部材の柱における位置決めを確実にできるとともに、隙間を漆喰等で埋めて確実に固定できる。また、図８（Ｂ）においては、溝の内部にクッション材（図中斜線で示す）としてゴム部材等を挿入することにより、壁部材の柱における位置決めをより確実にできるとともに、地震等の振動にも耐えることができる。
【００３６】
図面を参照してこの考案の実施形態を説明したが、本考案は、図示した実施形態に限定されるものではない。本考案と同一の範囲内において、または均等の範囲内において、図示した実施形態に対して種々の変更を加えることが可能である。
【産業上の利用可能性】
【００３７】
この考案によれば、簡単に設置でき、且つ、小規模の寺院建築にも利用可能なプレハブ用の壁構造を提供できるため、小規模の寺院建築をはじめとして、簡易な建築物を容易に構築可能になり、小規模建築において広い分野で利用が見込まれる。
【符号の説明】
【００３８】
１０  永代供養堂、１１〜１４  柱部、１１ａ、１１ｂ  溝、２１、２３  壁部材、２１ａ，２１ｂ  突出部、３１  基礎部本体、３２  階段部３２、  躯体部２００。
【図１】
0003206684.tif 000003
【図２】
0003206684.tif 000004
【図３】
0003206684.tif 000005
【図４】
0003206684.tif 000006
【図５】
0003206684.tif 000007
【図６】
0003206684.tif 000008
【図７】
0003206684.tif 000009
【図８】
0003206684.tif 000010